(57)【要約】【課題】比較的簡単な構造でありながら高級感を与える広告スタンドを形成したり、定番トレーを形成することができる汎用性に富む広告スタンド形成用兼定番トレー形成用プレート。【解決手段】広告ボード形成用の第１平面部１０とスタンド形成用の第２平面部２０から形成されている。第１平面部１０は正面用と背面用の二つの第１平面部１１，１２から形成されている。第２平面部２０は正面用と底面用と背面用の三つの第２平面部２１，２２，２３と、正面用第２平面部２１の両側に設けた第１側面用平面部２４と、背面用第２平面部２３の両側に設けた第２側面用平面部２５から形成されている。第１側面用平面部２４と第２側面用平面部２５は互いに結合するための結合部２６を備え、更に、前記第２側面用平面部２５は前記第１平面部１０を差し込むための切込部１４を備えている。【選択図】図１
0003133269.tif 000002
【実用新案登録請求の範囲】
【請求項１】
広告ボード形成用の第１平面部とスタンド形成用の第２平面部から形成され、前記第１平面部は正面用と背面用の二つの第１平面部から形成され、前記第２平面部は正面用と底面用と背面用の三つの第２平面部と、正面用第２平面部の両側に設けた第１側面用平面部と、背面用第２平面部の両側に設けた第２側面用平面部から形成され、且つ、前記第１側面用平面部と前記第２側面用平面部は互いに結合するための結合部を備え、更に、前記第２側面用平面部は前記第１平面部を差し込むための切込部を備えている広告スタンド形成用兼トレー形成用プレート。
【請求項２】
切込部を第２側面用平面部の底辺に対して垂直に設けることを特徴とする請求項１記載の広告スタンド形成用兼トレー形成用プレート。
【請求項３】
第１平面部は、正面用第１平面部と背面用第１平面部の境界に第１折り曲げ部を設け、第２平面部は、正面用第２平面部と底面用第２平面部の境界、底面用第２平面部と背面用第２平面部の境界、正面用第２平面部と第１側面用平面部の境界、背面用第２平面部と第２側面用平面部の境界にそれぞれ折り曲げ部を設けることを特徴とする請求項１記載の広告スタンド兼トレー形成用プレート。
【請求項４】
広告ボード形成用の第１平面部とスタンド形成用の第２平面部から形成され、前記第１平面部は正面用と背面用の二つの第１平面部から形成され、前記第２平面部は正面用と底面用と背面用の三つの第２平面部と、正面用第２平面部の両側に設けた第１側面用平面部と、背面用第２平面部の両側に設けた第２側面用平面部から形成され、且つ、前記第２側面用平面部は前記第１平面部を差し込むための切込部を備えると共に正面用第２平面部と背面用第２平面部に自立用の切込部を備えている広告スタンド形成用兼トレー形成用プレート。
【請求項５】
第１平面部における正面用第１平面部と背面用第１平面部の境界に第１折り曲げ部を設け、第２平面部における底面用第２平面部の中央に第６折り曲げ部を設けたことを特徴とする請求項４記載の広告スタンド形成用兼トレー形成用プレート。
【請求項６】
広告ボード形成用の第１平面部とスタンド形成用の第２平面部から形成され、前記第１平面部は正面用と背面用の二つの第１平面部から形成され、前記第２平面部は正面用と底面用と背面用の三つの第２平面部と、正面用第２平面部の両側に設けた第１側面用平面部と、背面用第２平面部の両側に設けた第２側面用平面部から形成され、且つ、前記第１側面用平面部と前記第２側面用平面部は互いに結合するための結合部を備え、前記第２側面用平面部は前記第１平面部を差し込むための切込部を備えると共に正面用第２平面部と背面用第２平面部に自立用の切込部を備え、更に、前記第１平面部における背面用第１平面部の先端に複数の耳部を備え、この耳部から第１平面部の正面用第１平面部の方に第７乃至第１０の四本の折り曲げ部を設け、更に、第１０折り曲げ部に前記耳部を差し込むための切込部を設け、更に、第８折り曲げ部に立ち上げプレート形成用の切込部を設けた広告スタンド形成用兼トレー形成用プレート。
【考案の詳細な説明】
【技術分野】
【０００１】
本考案は、広告スタンド形成用兼定番トレー形成用プレート、更に詳しくは、卓上用の広告スタンドを形成したり、定番トレーを形成するための汎用性に富む広告スタンド形成用兼定番トレー形成用プレートに関する。
【背景技術】
【０００２】
従来の卓上用の広告スタンド２００は、図１４に示すように、ボード２０１と一対のスタンド２０２の二つのパーツから構成されており、一対のスタンド２０２に設けた切込部２０３にボード２０１を差し込むようになっている。この切込部２０３は、前後に設けられ、後方の切込部２０３ｂが前方の切込部２０３ａよりも高さが高く、ボード２０１の高さを自由に変えることができるようになっている。
【０００３】
しかしながら、この広告スタンドは、構造が簡単であるが、外観的に旧式なイメージを与える傾向があり、高級なイメージをアピールしようとする商品の広告スタンドとして用いる場合、商品のイメージを壊す恐れがある。また、この広告スタンドは、上記のように、ボードとスタンドの二つのパーツから構成されているので、ボード製造ラインと、スタンド製造ラインの二つの製造ラインが必要になる。また、出荷の際は、ボードとスタンドの二つのパーツを一組にして出荷する必要があり、手間かかかると言う問題がある。
【考案の開示】
【考案が解決しようとする課題】
【０００４】
本考案は、このような問題を解消するためになされたものであり、その目的とするところは、比較的簡単な構造でありながら高級感を与える広告スタンドを形成したり、定番トレーを形成することができる汎用性に富む広告スタンド形成用兼定番トレー形成用プレートを提供することにある。
【課題を解決するための手段】
【０００５】
上記の課題を解決するため、請求項１に記載の考案に係る広告スタンド形成用兼トレー形成用プレートは、広告ボード形成用の第１平面部とスタンド形成用の第２平面部から形成され、前記第１平面部は正面用と背面用の二つの第１平面部から形成され、前記第２平面部は正面用と底面用と背面用の三つの第２平面部と、正面用第２平面部の両側に設けた第１側面用平面部と、背面用第２平面部の両側に設けた第２側面用平面部から形成され、且つ、前記第１側面用平面部と前記第２側面用平面部は互いに結合するための結合部を備え、更に、前記第２側面用平面部は前記第１平面部を差し込むための切込部を備えている。
【０００６】
請求項２に記載の考案に係る広告スタンド形成用兼トレー形成用プレートは、請求項１において、切込部を第２側面用平面部の底辺に対して垂直に設けることを特徴としている。
【０００７】
請求項３に記載の考案に係る広告スタンド形成用兼トレー形成用プレートは、請求項１において、第１平面部は、正面用第１平面部と背面用第１平面部の境界に第１折り曲げ部を設け、第２平面部は、正面用第２平面部と底面用第２平面部の境界、底面用第２平面部と背面用第２平面部の境界、正面用第２平面部と第１側面用平面部の境界、背面用第２平面部と第２側面用平面部の境界にそれぞれ折り曲げ部を設けることを特徴としている。
【０００８】
請求項４に記載の考案に係る広告スタンド形成用兼トレー形成用プレートは、広告ボード形成用の第１平面部とスタンド形成用の第２平面部から形成され、前記第１平面部は正面用と背面用の二つの第１平面部から形成され、前記第２平面部は正面用と底面用と背面用の三つの第２平面部と、正面用第２平面部の両側に設けた第１側面用平面部と、背面用第２平面部の両側に設けた第２側面用平面部から形成され、且つ、前記第２側面用平面部は前記第１平面部を差し込むための切込部を備えると共に正面用第２平面部と背面用第２平面部に自立用の切込部を備えている。
【０００９】
請求項５に記載の考案に係る広告スタンド形成用兼トレー形成用プレートは、請求項４において、第１平面部における正面用第１平面部と背面用第１平面部の境界に第１折り曲げ部を設け、第２平面部における底面用第２平面部の中央に第６折り曲げ部を設けたことを特徴としている。
【００１０】
請求項６に記載の考案に係る広告スタンド形成用兼トレー形成用プレートは、広告ボード形成用の第１平面部とスタンド形成用の第２平面部から形成され、前記第１平面部は正面用と背面用の二つの第１平面部から形成され、前記第２平面部は正面用と底面用と背面用の三つの第２平面部と、正面用第２平面部の両側に設けた第１側面用平面部と、背面用第２平面部の両側に設けた第２側面用平面部から形成され、且つ、前記第１側面用平面部と前記第２側面用平面部は互いに結合するための結合部を備え、前記第２側面用平面部は前記第１平面部を差し込むための切込部を備えると共に正面用第２平面部と背面用第２平面部に自立用の切込部を備え、更に、前記第１平面部における背面用第１平面部の先端に複数の耳部を備え、この耳部から第１平面部の正面用第１平面部の方に第７乃至第１０の四本の折り曲げ部を設け、更に、第１０折り曲げ部に前記耳部を差し込むための切込部を設け、更に、第８折り曲げ部に立ち上げプレート形成用の切込部を設けている。
【考案の効果】
【００１１】
請求項１に記載の考案は、広告ボード形成用の第１平面部とスタンド形成用の第２平面部から形成され、前記第１平面部は正面用と背面用の二つの第１平面部から形成され、前記第２平面部は正面用と底面用と背面用の三つの第２平面部と、正面用第２平面部の両側に設けた第１側面用平面部と、背面用第２平面部の両側に設けた第２側面用平面部から形成され、且つ、前記第１側面用平面部と前記第２側面用平面部は互いに結合するための結合部を備え、更に、前記第２側面用平面部は前記第１平面部を差し込むための切込部を備えているので、広告ボード形成用第１平面部の正面と背面を重合させるとともに、スタンド形成用第２平面部の正面用、底面用、背面用第２平面部および第１、第２側面用平面部を山折りして互いに組み付けることにより、高級感のある卓上用の広告ボードを比較的簡単に形成することができる。
【００１２】
請求項４に記載の考案は、広告ボード形成用の第１平面部とスタンド形成用の第２平面部から形成され、前記第１平面部は正面用と背面用の二つの第１平面部から形成され、前記第２平面部は正面用と底面用と背面用の三つの第２平面部と、正面用第２平面部の両側に設けた第１側面用平面部と、背面用第２平面部の両側に設けた第２側面用平面部から形成され、且つ、前記第２側面用平面部は前記第１平面部を差し込むための切込部を備えると共に正面用第２平面部と背面用第２平面部に自立用の切込部を備えているので、広告ボード形成用第１平面部の正面と背面を重合させるとともに、スタンド形成用第２平面部の底面用第２平面部を山折りして互いに組み付けることにより、高級感のあるカートンスタンド用の広告ボードを比較的簡単に形成することができる。
【００１３】
請求項６に記載の考案に係る広告スタンド形成用兼トレー形成用プレートは、広告ボード形成用の第１平面部とスタンド形成用の第２平面部から形成され、前記第１平面部は正面用と背面用の二つの第１平面部から形成され、前記第２平面部は正面用と底面用と背面用の三つの第２平面部と、正面用第２平面部の両側に設けた第１側面用平面部と、背面用第２平面部の両側に設けた第２側面用平面部から形成され、且つ、前記第１側面用平面部と前記第２側面用平面部は互いに結合するための結合部を備え、前記第２側面用平面部は前記第１平面部を差し込むための切込部を備えると共に正面用第２平面部と背面用第２平面部に自立用の切込部を備え、更に、前記第１平面部における背面用第１平面部の先端に複数の耳部を備え、この耳部から第１平面部の正面用第１平面部の方に第７乃至第１０の四本の折り曲げ部を設け、更に、第１０折り曲げ部に前記耳部を差し込むための切込部を設け、更に、第８折り曲げ部に立ち上げプレート形成用の切込部を設けているので、広告ボード形成用の第１平面部をスタンド形成用の第２平面部から切り離した後、広告ボード形成用の第１平面部を正面用第１平面部と背面用第１平面部の境界を山折りし、背面用第１平面部を山積みされたカートン（ボックス）の隙間に挟み込んでカートン用ボスターとして使用する。
【００１４】
他方、広告ボード形成用の第１平面部をスタンド形成用の第２平面部から切り離した後、第１平面部の背面用第１平面部の第７折り曲げ部乃至第９折り曲げ部を山折りすると共に、第１０折り曲げ部を谷折りする。更に、背面用第１平面部の先端にある耳部を第１０折り曲げ部に有る切欠溝に挿入すると定番トレーが完成する。なお、こぼれ止めがある場合は、第７折り曲げ部を切断して除去する。
【考案を実施するための最良の形態】
【００１５】
以下、本考案の実施の形態を図面を用いて説明する。
図１において、符号１００は、本考案に係る広告スタンド形成用兼定番トレー形成用プレートであり、腰のある厚紙や合成樹脂製平板を打ち抜いて一体的に形成されている。この広告スタンド形成用兼トレー形成用プレート１００は、広告ボード形成用の第１平面部１０とスタンド形成用の第２平面部２０から形成されている。この第１平面部１０は、正面用第１平面部１１と背面用第１平面部１２の二つの第１平面部から形成されている。
【００１６】
第２平面部２０は、正面用第２平面部２１と底面用第２平面部２２と背面用第２平面部２３の三つの第２平面部と、正面用第２平面部２１の両側に設けた第１側面用平面部２４と、背面用第２平面部２３の両側に設けた第２側面用平面部２５から形成されている。そして、第１側面用平面部２４と第２側面用平面部２５は互いに結合するための結合部２６を備えている。第１側面用平面部２４は、凸型状の結合部２６ａを備え、第２側面用平面部２５は、凹型状の結合部２６ｂを備えている。
【００１７】
その上、第２平面部２０は、正面用第２平面部２１と背面用第２平面部２３にそれぞれコ字状又はＵ字状の自立用の切込部２７を備えている。更に、第１平面部１０は、背面用第１平面部１２の先端に複数の耳部１３を備えている。更に、第２側面用平面部２５は、第１平面部１０を差し込むための複数の切込部１４を備えている。この切込部１４は、第２側面用平面部２５の底辺に対して垂直に設けられている。
【００１８】
更に、第１平面部１０は、正面用第１平面部１１と背面用第１平面部１２の境界に第１折り曲げ部３１を設けている。第２平面部２０は、正面用第２平面部２１と底面用第２平面部２２の境界に第２折り曲げ部３２を設け、底面用第２平面部２２と背面用第２平面部２３の境界に第３折り曲げ部３３を設け、正面用第２平面部２１と第１側面用平面部２４の境界に第４折り曲げ部３４を設け、背面用第２平面部２３と第２側面用平面部２５の境界に第５折り曲げ部３５を設けている。
【００１９】
更に、第２平面部２０の底面用第２平面部２２は、その中央に第６折り曲げ部３６を設けている。更に、上記耳部１３から第１平面部１０の正面用第１平面部１１寄りに第７折り曲げ部３７、第８折り曲げ部３８、第９折り曲げ部３９、第１０折り曲げ部４０の四本の折り曲げ部を設けている。更に、第１０折り曲げ部４０に前記耳部１３を差し込むための切込部４１を設けている。更に、第８折り曲げ部３８にコ字状又はＵ字状の切込部４２を設けている。
【００２０】
次に、この広告スタンド形成用兼トレー形成用プレートを用いて「広告スタンド」、「カートンスタンド」、「カートン用ポスター」および「定番トレー」の組み立て方法について説明する。
【００２１】
（Ａ）「広告スタンド」の組み立て方法
（１）図２に示すように、用意した１枚の広告スタンド形成用兼トレー形成用プレート１００の第１折り曲げ部３１乃至第５折り曲げ部３５を山折りする。
（２）次に、図３に示すように、広告ボード形成用の第１平面部１０の第１折り曲げ部３１を矢印のように山折りして第１平面部１０の正面用第１平面部１１と背面用第１平面部１２を重ね合わせる。
（３）更に、図３に示すように、スタンド形成用の第２平面部２０における第２折り曲げ部３２と第３折り曲げ部３３を矢印のように山折りしてスタンド形成用の第２平面部２０をコ字形状に折り曲げる。
（４）次に、図４（ａ）に示すように、スタンド形成用の第２平面部２０の第２側面用平面部２５を矢印ａのように山折りすると共に第２側面用平面部２５の切込部１４を正面用第１平面部１１の下辺部を差し込む。
【００２２】
（５）更に、図４（ｂ）に示すように、スタンド形成用の第２平面部２０の第１側面用平面部２４を矢印ｂのように山折りして第１側面用平面部２４の凸形状の係合部２６ａを第２側面用平面部２５の凹形状の係合部２６ｂに差し込んで第１側面用平面部２４を第２側面用平面部２５に固定する。
（６）最後に、図４（ｂ）に示すように、背面用第１平面部１２の下辺部を矢印のように第２側面用平面部２５の切込部１４に差し込むと、図５に示すような卓上用の広告スタンド１１０が完成する。尚、広告用のイラストや広告文は、予め、正面用第１平面部１１に表示又は印刷する。
【００２３】
（Ｂ）「カートンスタンド」の組み立て方法
（１）図６に示すように、用意した１枚の広告スタンド形成用兼トレー形成用プレート１００の第１折り曲げ３１と第６折り曲げ３６を山折りする。
（２）次に、図７（ａ）に示すように、広告ボード形成用の第１平面部１０の第１折り曲げ部３１を矢印のように山折りして第１平面部１０の正面用第１平面部１１と背面用第１平面部１２を重ね合わせる。
（３）更に、図７（ａ）に示すように、スタンド形成用の第２平面部２０の背面用第２平面部２５の切込部１４を矢印のように広告ボード形成用の第１平面部１０の正面用第１平面部１１と、背面用第１平面部１２の下辺部を差し込む。
（４）更に、図７（ｂ）に示すように、スタンド形成用の第２平面部２０における第２折り曲げ部３２と第３折り曲げ部３３を山折りする。
（５）最後に、図８に示すように、浅底カートン５０の縁部５１に自立用の切込部４１を差し込んで自立させ、カートンスタンド１２０として使用する。広告用のイラストや広告文は、予め、正面用第１平面部１１に表示又は印刷する。尚、広告用のイラストや広告文は、予め、正面用第１平面部１１に表示又は印刷する。
【００２４】
（Ｃ）「カートン用ポスター」の組み立て方法
（１）図９に示すように、用意した１枚の広告スタンド形成用兼トレー形成用プレート１００の広告ボード形成用の第１平面部１０とスタンド形成用の第２平面部２０の境目を裁断して二分する。裁断には、例えば、ハサミなどの截断具６０が好ましく使用される。
（２）次に、図１０に示すように、広告ボード形成用の第１平面部１０の第１折り曲げ部３１を山折りして第１平面部１０の背面用第１平面部１２を山積みされたカートン（ボックス）７０の間に矢印のように差し込んでカートン用ポスター１３０として使用する。なお、広告用のイラストや広告文は、予め、正面用第１平面部１１に表示又は印刷する。
【００２５】
（Ｄ）「定番トレー」の組み立て方法
（１）図１１に示すように、用意した１枚の広告スタンド形成用兼トレー形成用プレート１００の広告ボード形成用の第１平面部１０とスタンド形成用の第２平面部２０の境目を裁断して二分する。裁断には、例えば、ハサミなどの截断具６０が好ましく使用される。
（２）次に、図１２に示すように、第１平面部１０の背面用第１平面部１２の第７折り曲げ部３７乃至第９折り曲げ部３９を矢印のように山折りすると共に、第１０折り曲げ部４０を谷折りする。
（３）更に、図１２に示すように、背面用第１平面部１２の先端にある耳部１３を矢印のように第１０折り曲げ部４０に有る切欠溝４２に挿入して定番トレー１４０を形成する。なお、卓上にこぼれ止めがある場合は、図１３に示すように、第７折り返し部３７を、例えば、ハサミなどの截断具６０によって切断して定番トレー１５０とする。
【図面の簡単な説明】
【００２６】
【図１】本考案に係る広告スタンド形成用兼トレー形成用プレートの平面図である。
【図２】広告スタンドを形成する際の山折り箇所の説明図である。
【図３】広告スタンドを仮組みする説明図である。
【図４】（ａ）第２側面用平面部を正面側に山折りする説明図、（ｂ）第１側面用平面部を背面側に山折りする説明図である。
【図５】完成した広告スタンドの斜視図である。
【図６】カートンスタンドを形成する際の山折り箇所の説明図である。
【図７】（ａ）カートンスタンドの組立作業説明図、（ｂ）スタンド先端折り曲げ作業説明図である。
【図８】完成したカートンスタンドをカートンの縁に取り付けた斜視図である。
【図９】カートン用ポスターを形成する際の山折り箇所の説明図である。
【図１０】完成したカートン用ポスターの使用説明図である。
【図１１】定番トレーを形成する際の山及び谷折り箇所の説明図である。
【図１２】定番トレーの作成説明図である。
【図１３】こぼれ止めがある場合の定番トレー作成説明図である。
【図１４】従来の卓上用の広告スタンドの斜視図である。
【符号の説明】
【００２７】
１０  広告ボード形成用の第１平面部
１１  正面用第１平面部
１２  背面用第１平面部
１４  切込部
２０  スタンド形成用の第２平面部
２１  正面用第２平面部
２２  底面用第２平面部
２３  背面用第２平面部
２４  第１側面用平面部
２５  第２側面用平面部
２６  結合部
【図１】
0003133269.tif 000003
【図２】
0003133269.tif 000004
【図３】
0003133269.tif 000005
【図４】
0003133269.tif 000006
【図５】
0003133269.tif 000007
【図６】
0003133269.tif 000008
【図７】
0003133269.tif 000009
【図８】
0003133269.tif 000010
【図９】
0003133269.tif 000011
【図１０】
0003133269.tif 000012
【図１１】
0003133269.tif 000013
【図１２】
0003133269.tif 000014
【図１３】
0003133269.tif 000015
【図１４】
0003133269.tif 000016